(57)【要約】 【課題】  映像コンテンツデータを高速で再生している状態で通常速度での再生に切り替えるときに、簡易な操作で検索用の画像から通常再生開始位置を特定することを可能にする。【解決手段】  再生対象の映像コンテンツデータ１２１が早送り再生で再生処理されているときに一時停止されると、一時停止ポイントおよびこの一時停止ポイントを中心として所定時間間隔で前後する所定数の一時停止近隣ポイント群にそれぞれ対応する映像コンテンツデータ１２１の画像フレームデータに含まれる各位置情報を抽出する位置情報抽出部１３２と、この複数の位置情報に対応するサムネイル画像群を生成して表示させるサムネイル画像生成部１３３と、表示された中から一のサムネイル画像が選択されたときに、選択されたサムネイル画像の生成元のデータ位置から通常の速度で再生を開始させる指示を送出する通常再生開始指示部１３４とを有する。【選択図】  図１
2008312025.tif 000002
【特許請求の範囲】
【請求項１】
記録された映像コンテンツデータを、取得した再生指示に従って再生する映像コンテンツデータ再生装置において、
再生対象の映像コンテンツデータを記録する映像コンテンツデータ記録部と、
前記再生指示を取得したときに、前記再生指示により指定された再生開始位置から前記映像コンテンツデータ記録部に記録されている前記再生対象の映像コンテンツデータを前記再生指示により指定された速度で再生させる再生処理を行うとともに、この再生処理中に一時停止指示を取得したときには前記再生処理を一時停止させる再生制御部と、
前記再生制御部により前記再生対象の映像コンテンツデータが通常の再生である等倍速再生よりも高速で再生処理されているときにこの再生処理が前記一時停止指示により一時停止された場合、前記一時停止されたポイントである一時停止ポイントおよびこの一時停止ポイントを中心として所定時間間隔で前後する所定数のポイントである一時停止近隣ポイント群にそれぞれ対応する前記再生対象の映像コンテンツデータの画像フレームデータに含まれる各位置情報を、前記等倍速再生に切り替えて再生を開始させる再生開始位置の候補としてそれぞれ抽出する位置情報抽出部と、
前記位置情報抽出部において抽出された前記各位置情報に対応する前記再生対象の映像コンテンツ内の画像フレームデータ群を前記映像コンテンツデータ記録部から取得し、これらの画像フレームデータ群からサムネイル画像群をそれぞれ生成して表示させるサムネイル画像生成部と、
前記サムネイル画像生成部で生成され表示されたサムネイル画像群の中から一のサムネイル画像が選択されたときに、この選択された一のサムネイル画像の生成元の画像フレームデータの前記再生対象の映像コンテンツ内におけるデータ位置から前記等倍速再生に切り替えて再生を開始させるための再生指示である通常再生指示を前記再生制御部に送出する通常再生開始指示部と、
を備えることを特徴とする映像コンテンツデータ再生装置。
【請求項２】
前記位置情報抽出部において、前記一時停止近隣ポイントは、前記一時停止される前に再生処理されていたときの再生速度に応じて設定された時間間隔で抽出される
ことを特徴とする請求項１に記載の映像コンテンツデータ再生装置。
【請求項３】
前記位置情報抽出部は、
前記サムネイル画像生成部において生成され表示されたサムネイル画像を、さらに時系列的に前または後の映像コンテンツデータの画像フレームデータに対応するサムネイル画像に更新させるためのサムネイル画像更新指示が取得されると、前記一時停止ポイントを所定時間前または後に移動させ、この移動先の一時停止ポイントを中心として前記所定時間間隔で前後したポイントである所定数の一時停止近隣ポイント群に対応する前記再生対象の映像コンテンツデータ内の位置情報を抽出し、
前記サムネイル画像生成部は、
前記位置情報抽出部で取得された前記移動先の一時停止ポイントおよび前記所定数の一時停止近隣ポイント群に対応する前記再生対象の映像コンテンツデータの画像フレームデータに含まれる各位置情報に基づいて新たなサムネイル画像群をそれぞれ生成し、既に表示されているサムネイル画像を前記新たなサムネイル画像群に更新させる
ことを特徴とする請求項１または２に記載の映像コンテンツデータ再生装置。
【発明の詳細な説明】
【技術分野】
【０００１】
本発明は、映像コンテンツデータを再生する映像コンテンツデータ再生装置に関する。
【背景技術】
【０００２】
映像コンテンツデータ再生装置において、ユーザが記録済みの映像コンテンツデータを視聴する際に、ＣＭ（commercial message）区間を早送りさせるなど、一部の区間のみを高速に再生させることがある。
【０００３】
このように映像コンテンツデータの一部の区間を高速に再生させると、所望の位置で通常速度の再生（等倍速再生）に切り替えて再生を開始させようと操作するときに、この所望の位置である通常再生開始位置を過ぎてしまうことが多く、この通常再生開始位置を特定するための操作が煩雑になるという問題がある。
【０００４】
映像コンテンツデータ内の所望の位置を特定するための技術として、特許文献１に記載のものがある。
【０００５】
この特許文献１には、予め映像コンテンツデータから任意の間隔で任意の大きさにサンプリングして得た標本画像フレームを、再生時間等のメタデータと関連付けて検索用の標本画像フレーム群として記録再生装置に記録しておき、この標本画像フレーム群からユーザが所望の標本画像フレームを検索することにより映像コンテンツデータ内の所望の位置を特定する技術が記載されている。
【０００６】
この技術により、映像の内容をユーザが標本画像フレームで確認して検索することで、所望の位置を再生開始位置等として特定することができる。
【特許文献１】特開２０００−２８７１６５号公報
【発明の開示】
【発明が解決しようとする課題】
【０００７】
しかし、特許文献１の技術では、予め標本画像フレームを映像コンテンツデータ全域から抽出し、標本画像フレーム群をデータベース化して記録しておくことが必要である。そのため、ＤＶＤ（Digital Versatile Disk）等の外部メディアに記録された映像コンテンツデータを再生するときには、メディアを記録再生装置に挿入したときにこの標本画像フレーム群を生成しなければならず、起動時間が長くなるという問題があった。
【０００８】
また、抽出する標本画像フレームの数が多いとさらに標本画像フレーム群の生成に時間がかかるとともに記録容量が多くなるため、短時間間隔で標本画像フレームを生成することが困難であるという問題があった。
【０００９】
よって本発明は、映像コンテンツデータを高速で再生している状態で通常速度での再生に切り替えるときに、予め検索用の画像を作成することなく、簡易な操作で、検索用の画像から通常再生開始位置を特定することができるの映像コンテンツデータ再生装置を提供することを目的とする。
【課題を解決するための手段】
【００１０】
上記目的を達成するための本発明の映像コンテンツデータ再生装置（１）は、記録された映像コンテンツデータを、取得した再生指示に従って再生するものであり、再生対象の映像コンテンツデータ（１２１）を記録する映像コンテンツデータ記録部（１２）と、前記再生指示を取得したときに、前記再生指示により指定された再生開始位置から前記映像コンテンツデータ記録部（１２）に記録されている前記再生対象の映像コンテンツデータ（１２１）を前記再生指示により指定された速度で再生させる再生処理を行うとともに、この再生処理中に一時停止指示を取得したときには前記再生処理を一時停止させる再生制御部（１３１）と、前記再生制御部（１３１）により前記再生対象の映像コンテンツデータ（１２１）が通常の再生である等倍速再生よりも高速で再生処理されているときにこの再生処理が前記一時停止指示により一時停止された場合、前記一時停止されたポイントである一時停止ポイントおよびこの一時停止ポイントを中心として所定時間間隔で前後する所定数のポイントである一時停止近隣ポイント群にそれぞれ対応する前記再生対象の映像コンテンツデータの画像フレームデータに含まれる（１２１）各位置情報を、前記等倍速再生に切り替えて再生を開始させる再生開始位置の候補としてそれぞれ抽出する位置情報抽出部（１３２）と、前記位置情報抽出部（１３２）において抽出された前記各位置情報に対応する前記再生対象の映像コンテンツ内の画像フレームデータ群を前記映像コンテンツデータ記録部（１２）から取得し、これらの画像フレームデータ群からサムネイル画像群をそれぞれ生成して表示させるサムネイル画像生成部（１３３）と、前記サムネイル画像生成部（１３３）で生成され表示されたサムネイル画像群の中から一のサムネイル画像が選択されたときに、この選択された一のサムネイル画像の生成元の画像フレームデータの前記再生対象の映像コンテンツ内におけるデータ位置から前記等倍速再生に切り替えて再生を開始させるための再生指示である通常再生指示を前記再生制御部（１３１）に送出する通常再生開始指示部（１３４）とを備えることを特徴とする。
【００１１】
また、この映像コンテンツデータ再生装置（１）の前記位置情報抽出部（１３２）において、前記一時停止近隣ポイントは、前記一時停止される前に再生処理されていたときの再生速度に応じて設定された時間間隔で抽出されるようにしてもよい。
【００１２】
また、この映像コンテンツデータ再生装置（１）の前記位置情報抽出部（１３２）は、前記サムネイル画像生成部（１３３）において生成され表示されたサムネイル画像を、さらに時系列的に前または後の映像コンテンツデータの画像フレームデータに対応するサムネイル画像に更新させるためのサムネイル画像更新指示が取得されると、前記一時停止ポイントを所定時間前または後に移動させ、この移動先の一時停止ポイントを中心として前記所定時間間隔で前後したポイントである所定数の一時停止近隣ポイント群に対応する前記再生対象の映像コンテンツデータ（１２１）内の位置情報を抽出し、前記サムネイル画像生成部（１３３）は、前記位置情報抽出部（１３２）で取得された前記移動先の一時停止ポイントおよび前記所定数の一時停止近隣ポイント群に対応する前記再生対象の映像コンテンツデータの画像フレームデータに含まれる（１２１）各位置情報に基づいて新たなサムネイル画像群をそれぞれ生成し、既に表示されているサムネイル画像を前記新たなサムネイル画像群に更新させるようにしてもよい。
【発明の効果】
【００１３】
本発明の映像コンテンツデータ再生装置によれば、映像コンテンツデータを高速で再生している状態で通常速度での再生に切り替えるときに、予め検索用の画像を作成することなく、簡易な操作で、検索用の画像から通常再生開始位置を特定することができる。
【発明を実施するための最良の形態】
【００１４】
《第１実施形態》
〈第１実施形態による映像コンテンツデータ再生装置の構成〉
本発明の第１実施形態による映像コンテンツデータ再生装置の構成を、図１を参照して説明する。
【００１５】
図１に示すように、映像コンテンツデータ再生装置１はユーザが操作するリモートコントローラ２から操作信号を受信してモニターなどの表示装置３に映像を出力するものであり、操作信号入力部１１と、映像コンテンツデータ記録部１２と、制御部１３と、映像信号処理部１４と、表示処理部１５とを有する。
【００１６】
操作信号入力部１１は、リモートコントローラ２から送信される再生指示、変速指示、一時停止指示等を受信して制御部１３に送出する。
【００１７】
映像コンテンツデータ記録部１２は、再生対象の映像コンテンツデータ１２１を記録する記録媒体であり、ハードディスクドライブ、または、装着されたＤＶＤドライブに挿入されたＤＶＤディスクから読み出された映像コンテンツを管理するメモリなどである。
【００１８】
制御部１３は、再生制御部１３１と、位置情報抽出部１３２と、サムネイル画像生成部１３３と、通常再生開始指示部１３４とを有する。
【００１９】
再生制御部１３１は、操作信号入力部１１または後述する通常再生開始指示部１３４から再生指示を取得したときに、再生指示により指定された再生開始位置から映像コンテンツデータ記録部１２に記録されている映像コンテンツデータ１２１を取得し、この再生指示により指定された速度で再生させるように映像信号処理部１４に送出する再生処理を行う。
【００２０】
また、再生制御部１３１は、操作信号入力部１１から一時停止指示を取得したときに、再生中の映像コンテンツデータの再生処理を一時停止させる。
【００２１】
位置情報抽出部１３２は、再生制御部１３１により映像コンテンツデータ１２１が早送り再生や巻戻し再生など高速で再生処理されているときに一時停止指示によりこの再生処理が一時停止されると、この一時停止されたポイントである一時停止ポイントおよびこの一時停止ポイントを中心として所定時間間隔で前後する所定数のポイントである一時停止近隣ポイント群にそれぞれ対応する映像コンテンツデータ１２１の画像フレームデータに含まれる各位置情報を、通常の速度に切り替えて再生を開始させる再生開始位置の候補としてそれぞれ抽出する。
【００２２】
サムネイル画像生成部１３３は、位置情報抽出部１３２において取得された複数の位置情報に対応する映像コンテンツデータ１２１内の画像フレームデータ群を映像コンテンツデータ記録部１２から取得し、これらの画像フレームデータ群からサムネイル画像群をそれぞれ生成して映像信号処理部１４に送出する。
【００２３】
通常再生開始指示部１３４は、サムネイル画像生成部１３３で生成されたサムネイル画像の中から一のサムネイル画像が選択されたときに、この選択された一のサムネイル画像の生成元の画像フレームデータの映像コンテンツデータ１２１内におけるデータ位置から、通常の速度に切り替えて再生を開始させるための再生指示である通常再生指示を再生制御部１３１送出する。
【００２４】
映像信号処理部１４は、再生制御部１３１から取得した映像コンテンツデータ１２１を再生させるために、デコードなどの信号処理を行う。
【００２５】
また、映像信号処理部１４は、サムネイル画像生成部１３３から取得した複数のサムネイル画像を表示させるために信号処理を行う。
【００２６】
表示処理部１５は、映像信号処理部１４から取得した映像コンテンツデータまたは複数のサムネイル画像を表示させるために表示制御処理を行って表示装置３に送信する。
【００２７】
〈第１実施形態による映像コンテンツデータ再生装置の動作〉
本実施形態による映像コンテンツデータの動作について、図２のフローチャートおよび図３〜５の説明図を参照して説明する。
【００２８】
本実施形態において、映像コンテンツデータ再生装置１の映像コンテンツデータ記録部１２には、予め再生対象となる映像コンテンツデータが記録されているものとする。
【００２９】
まず、映像コンテンツデータ再生装置１の電源が投入され、映像コンテンツデータが映像コンテンツデータ記録部１２に記録されている状態で、ユーザの操作によりリモートコントローラ２から映像コンテンツデータ１２１を通常の速度で再生させるための再生指示である再生指示（ａ）が送信されると、この再生指示（ａ）が操作信号入力部１１で受信される（Ｓ１）。
【００３０】
操作信号入力部１１において再生指示（ａ）が取得されるとこの再生指示（ａ）が制御部１３の再生制御部１３１に送出される。
【００３１】
再生制御部１３１では、再生指示（ａ）が取得されると、この再生指示（ａ）で指定された映像コンテンツデータ１２１の先頭位置からのデータが映像コンテンツデータ記録部１２より取得され、再生指示（ａ）で指定された通常の速度で再生させるように映像信号処理部１４に送出される。
【００３２】
映像信号処理部１４で取得された映像コンテンツデータ１２１はデコードなどの信号処理が行われ、表示処理部１５で表示制御処理が行われて表示装置３に通常の速度で再生される（Ｓ２）。
【００３３】
ここで、通常の速度で再生されている映像コンテンツデータ１２１の映像内容がＣＭ区間などにさしかかり、視聴しているユーザによりリモートコントローラ２が操作されＣＭ区間のみを早送り再生させるために２倍速の早送り再生指示（ｂ）が送信されたものとする（Ｓ３の「YES」）。
【００３４】
リモートコントローラ２より２倍速の早送り再生指示（ｂ）が送信されると映像コンテンツデータ再生装置１の操作信号入力部１１で受信され、再生制御部１３１に送出される。
【００３５】
再生制御部１３１では、２倍速の早送り再生指示（ｂ）が取得されると、映像コンテンツデータ１２１が２倍速で再生されるように再生処理が切り替えられる。
【００３６】
再生制御部１３１において再生処理が２倍速に切り替えられることにより、映像コンテンツデータ記録部１２から取得された映像コンテンツデータ１２１が映像信号処理部１４および表示処理部１５を経由して、表示装置３に２倍速で再生される（Ｓ４）。
【００３７】
ここで、さらに高速の早送り再生に変更するために１０倍速の早送り再生指示（ｃ）がユーザの操作によりリモートコントローラ２から送信されると（Ｓ５の「YES」）、この１０倍速の早送り再生指示（ｃ）が操作信号入力部１１を介して再生制御部１３１で取得され、映像コンテンツデータ記録部１２から取得された映像コンテンツデータ１２１が映像信号処理部１４および表示処理部１５を経由して、表示装置３に１０倍速で再生される（Ｓ６）。
【００３８】
ステップＳ４において、再生速度を変更する指示がなく映像コンテンツデータ１２１が２倍速で表示されているとき（Ｓ４の「NO」）、またはステップＳ６において再生速度が変更され１０倍速で表示されているとき（Ｓ６）に、視聴しているユーザによりＣＭ区間が終了したと判断され一時停止させるための一時停止指示（ｄ）がリモートコントローラ２から送信されると（Ｓ７の「YES」）、この一時停止指示（ｄ）が操作信号入力部１１を介して再生制御部１３１で取得される。
【００３９】
再生制御部１３１で一時停止指示（ｄ）が取得されると、映像コンテンツデータ１２１の再生処理が一時停止される（Ｓ８）。
【００４０】
再生制御部１３１における再生処理が一時停止されると、位置情報抽出部１３２において、この一時停止されたポイントである一時停止ポイントおよびこの一時停止ポイントを中心として所定時間間隔で前後する所定数のポイントである一時停止近隣ポイント群に対応する映像コンテンツデータ１２１の画像フレームデータに含まれる各位置情報が、通常の速度に切り替えて再生を開始させる再生開始位置の候補として抽出される（Ｓ９）。
【００４１】
位置情報抽出部１３２で抽出される映像コンテンツデータ１２１における一時停止ポイントおよび一時停止近隣ポイント群の一例を、図３に示す。
【００４２】
図３には、映像コンテンツデータ１２１上の一時停止ポイントおよび一時停止近隣ポイント群の一例として９個のポイント(1)〜(9)が示されており、このうちポイント(5)が一時停止ポイントであり、ポイント(1)〜(4)およびポイント(6)〜(9)の８個は一時停止ポイント(5)の近隣ポイント群である。
【００４３】
この一時停止近隣ポイント群(1)〜(4)および(6)〜(9)の位置は一時停止ポイント(5)を中心とした相対時間により設定されるものであり、本実施形態においては図４に示すように、一時停止ポイント(5)の時間情報を０秒とし一時停止される前の再生速度の倍速数をｎ倍速とすると、一時停止ポイント(5)から２ｎ秒間隔で前後した位置に設定され、ポイント(1)が−４ｎ秒、ポイント(2)が−３ｎ秒、ポイント(3)が−２ｎ秒、ポイント(4)が−ｎ秒、ポイント(6)が＋ｎ秒、ポイント(7)が＋２ｎ秒、ポイント(8)が＋３ｎ秒、ポイント(9)が＋４ｎ秒の位置である。
【００４４】
ここでは、一時停止される前の再生速度の倍速数が２倍速であり、それぞれのポイントは一時停止ポイント(5)の時間情報に対して、ポイント(1)が−８秒、ポイント(2)が−６秒、ポイント(3)が−４秒、ポイント(4)が−２秒、ポイント(6)が＋２秒、ポイント(7)が＋４秒、ポイント(8)が＋６秒、ポイント(9)が＋８秒の位置である。
【００４５】
位置情報抽出部１３２において、これらのポイント群(1)〜(9)に対応する映像コンテンツデータ１２１の画像フレームデータに含まれる各位置情報が抽出されると、サムネイル画像生成部１３３において、これらの９個の位置情報に対応する映像コンテンツデータ１２１内の画像フレームデータが映像コンテンツデータ記録部１２から取得され、これらの画像フレームデータからそれぞれポイント群(1)〜(9)に対応するサムネイル画像群(1)〜(9)が生成されて映像信号処理部１４に送出される。
【００４６】
映像信号処理部１４に送出されたサムネイル画像群(1)〜(9)は信号処理が行われ、表示処理部１５でこれらのサムネイル画像群が一画面上に表示されるように制御されて表示装置３に表示される（Ｓ１０）。
【００４７】
表示装置３にサムネイル画像群(1)〜(9)が表示された表示画面の一例を、図５に示す。
【００４８】
図５に示す表示画面では、サムネイル画像群(1)〜(9)が一画面上に表示され各サムネイル画像群(1)〜(9)に対応する番号が選択番号として表示されるとともに、一時停止ポイントであるサムネイル画像(5)の時間情報に対する各サムネイル画像の相対時間が表示されている。
【００４９】
これらの選択番号(1)〜(9)は、リモートコントローラ２の番号ボタン「１」〜「９」に対応しており、ユーザはこの番号ボタンで所望のサムネイル画像を選択することができる。
【００５０】
ユーザによりリモートコントローラ２が操作され、表示装置３に表示されたサムネイル画像の中から通常の速度で再生を開始させたい位置のサムネイル画像が選択されると（Ｓ１１の「YES」）、選択されたサムネイル画像の生成元の画像フレームデータの映像コンテンツデータ１２１内におけるデータ位置から、通常の速度で再生を開始させるための再生指示である通常再生指示（ｅ）が通常再生開始指示部１３４で生成され、再生制御部１３１に送出される。
【００５１】
再生制御部１３１では、通常再生指示（ｅ）が取得されると、この通常再生指示（ｅ）で指定されたデータ位置からの映像コンテンツデータ１２１が映像コンテンツデータ記録部１２より取得され、映像信号処理部１４および表示処理部１５を経由して表示装置３に通常の速度で再生される（Ｓ１２）。
【００５２】
通常の速度での再生処理が開始されると、ステップＳ３に戻り、再度早送り再生指示を取得したか監視される。
【００５３】
ステップＳ１１においてサムネイル画像が選択されずにサムネイル画像の表示を停止させるための停止指示が取得されたときには、ステップＳ５に戻り、早送り再生された状態に戻る（Ｓ１１の「NO」）。
【００５４】
また、ステップＳ７において、一時停止指示（ｄ）ではなく通常の速度での再生指示または停止指示が取得されたときには通常の速度で再生されるように再生制御部１３１により制御される（Ｓ１４の「YES」）。
【００５５】
また、ステッＳ７において一時停止指示（ｄ）を取得せず（Ｓ７の「NO」）、ステップＳ１４においても通常の速度の再生指示または停止指示を取得しないときは（Ｓ１４の「NO」）、ステップＳ５に戻りこれらの指示が取得されるまで監視される。
【００５６】
これらの処理は、映像コンテンツデータ１２１の再生処理が終了するまで行われる（Ｓ１３）。
【００５７】
以上の第１実施形態によれば、映像コンテンツデータを早送り再生している状態で通常速度での再生に切り替えるときに、予め検索用の画像を作成しておく必要がなく、通常速度での再生開始位置を複数のサムネイル画像の中から選択することができ、再生、巻戻しなどの操作を繰り返すことなく容易な操作で特定することができる。
【００５８】
また、表示される各サムネイル画像の、一時停止ポイントの時間情報に対する相対時間の間隔は、一時停止される前の再生速度の倍速数に応じて設定されるため、再生速度が高速であったために一時停止指示の位置が早送り再生を終了させたい位置からずれてしまっても、広い時間範囲からサムネイル画像を生成して通常の速度の再生開始位置の候補としてユーザに提示することができる。
【００５９】
《第２実施形態》
〈第２実施形態による映像コンテンツデータ再生装置の構成〉
本発明の第２実施形態による映像コンテンツデータ再生装置の構成は、第１実施形態と同様であるため詳細な説明は省略する。
【００６０】
操作信号入力部１１は、リモートコントローラ２から送信される再生指示、変速指示、一時停止指示に加え、サムネイル画像生成部１３３において既に生成され表示装置３に表示されたサムネイル画像を、さらに時間情報が前または後の映像コンテンツデータに対応するサムネイル画像に更新させるサムネイル画像更新指示を受信して制御部１３に送出する。
【００６１】
制御部１３の位置情報抽出部１３２は、サムネイル画像更新指示が取得されると、一時停止ポイントを所定時間前または後に移動させ、この移動先の一時停止ポイントを中心として所定時間間隔で前後するポイントである所定数の一時停止近隣ポイント群に対応する再生対象の映像コンテンツデータ１２１の画像フレームデータに含まれる各位置情報を抽出する。
【００６２】
制御部１３のサムネイル画像生成部１３３は、位置情報抽出部１３２で取得された移動先の一時停止ポイントおよび所定数の一時停止ポイント群に対応する再生対象の映像コンテンツデータ１２１の画像フレームデータに含まれる各位置情報に対応する映像コンテンツデータ１２１内の画像フレームデータ群を取得してサムネイル画像群を生成し、表示されていたサムネイル画像群を更新させる。
【００６３】
〈第２実施形態による映像コンテンツデータ再生装置の動作〉
本実施形態による映像コンテンツデータの動作について、図６のフローチャートおよび図７の画面表示図を参照して説明する。
【００６４】
図６のフローチャートにおいて、ステップＳ３１においてサムネイル画像が選択されなかったときの処理を除いては第１実施形態のステップＳ１〜Ｓ１３の動作と同様であるため、同一部分の詳細な説明は省略する。
【００６５】
本実施形態においては、ステップＳ３０においてサムネイル画像群が表示される表示画面には、図７（ａ）に示すように、表示されているサムネイル画像をさらに時系列的に前の映像コンテンツデータに対応するサムネイル画像に更新させるための「ｐｒｅｖ」更新ボタン７１、および表示されているサムネイル画像をさらに時系列的に後の映像コンテンツデータに対応するサムネイル画像に更新させるための「ｎｅｘｔ」更新ボタン７２が表示されている。
【００６６】
ステップＳ３１において、表示装置３に表示されたサムネイル画像の中にはユーザの再生を開始させたい位置のサムネイル画像がなかったためこれらの中から選択されず（Ｓ３１の「NO」）、ユーザによるリモートコントローラ２の操作により「ｎｅｘｔ」更新ボタン７２が選択されることによりサムネイル画像更新指示が送信されると、操作信号入力部１１を経由して位置情報抽出部１３２に送出される（Ｓ３５）。
【００６７】
位置情報抽出部１３２において「ｎｅｘｔ」更新ボタン７２によるサムネイル画像更新指示が取得されると、既に図７（ａ）のように表示されているサムネイル画像群(1)〜(9)の中で、近隣ポイント群を抽出する中心となるポイントが一時停止ポイント(5)から最も後のサムネイル画像(9)に移動される（Ｓ３６）。
【００６８】
ステップＳ３６において一時停止ポイントがサムネイル画像(9)に移動されると、ステップＳ２９に戻り、このサムネイル画像(9)を中心として所定時間間隔で前後した所定数のポイントである一時停止近隣ポイント群に対応する映像コンテンツデータ１２１の画像フレームデータに含まれる各位置情報が、通常の速度に切り替えて再生を開始させる再生開始位置の候補として抽出される。
【００６９】
位置情報抽出部１３２においてこれらのポイント群(1)〜(9)に対応する映像コンテンツデータ１２１の画像フレームデータに含まれる各位置情報が抽出されると、サムネイル画像生成部１３３において、これらの位置情報に対応する映像コンテンツデータ１２１内の画像フレームデータが映像コンテンツデータ記録部１２から取得され、これらの画像フレームデータから新たなサムネイル画像群(1)〜(9)がそれぞれ生成されて映像信号処理部１４に送出される。
【００７０】
映像信号処理部１４に送出された新たなサムネイル画像群(1)〜(9)は信号処理が行われ、表示処理部１５でこれらの新たなサムネイル画像群が一画面上に表示されるように制御されて、図７（ｂ）に示すように表示装置３に表示される（Ｓ３０）。
【００７１】
また、ステップＳ３５において、「ｐｒｅｖ」更新ボタン７１が選択されることによりサムネイル画像更新指示が送信されたときには、既に図７（ａ）のように表示されているサムネイル画像群(1)〜(9)の中で、近隣ポイント群を抽出する中心となるポイントが一時停止ポイント(5)から最も前のサムネイル画像(1)に移動され、同様に一時停止近隣ポイントが抽出され新たなサムネイル画像群が生成、表示される。
【００７２】
以上の第２実施形態によれば、第１実施形態と同様の効果を得ることができるとともに、第１実施形態よりもさらに広い範囲から通常速度での再生開始位置を選択することができる。
【００７３】
上記の第１実施形態および第２実施形態の映像コンテンツデータ再生装置においては、高速の再生処理として早送り再生された場合について説明したが、巻戻し再生された場合に適用しても同様の効果を得ることができる。
【００７４】
また、上記の第１実施形態および第２実施形態の映像コンテンツデータ再生装置においては、サムネイル画像の生成および表示を実行させるための操作ボタンが一時停止ボタンである場合について説明したが、これには限定されず、サムネイル画像生成および表示用の専用ボタン等により実行されるようにしてもよい。
【００７５】
また、上記の実施形態の映像コンテンツ記録再生装置の機能構成をプログラム化してコンピュータに組み込むことにより、当該コンピュータを映像コンテンツ記録再生装置として機能させる映像コンテンツ記録再生プログラムを構築することも可能である。
【図面の簡単な説明】
【００７６】
【図１】本発明の第１実施形態および第２実施形態による映像コンテンツデータ再生装置の構成を示すブロック図である。
【図２】本発明の第１実施形態および第２実施形態による映像コンテンツデータ再生装置で抽出されるポイントを示す説明図である。
【図３】本発明の第１実施形態および第２実施形態による映像コンテンツデータ再生装置で抽出されたポイントの一時停止ポイントに対する相対的な位置の時間情報を示す説明図である。
【図４】本発明の第１実施形態による映像コンテンツデータ再生装置の動作を示すフローチャートである。
【図５】本発明の第１実施形態による映像コンテンツデータ再生装置で生成されたサムネイル画像が表示された状態を示す画面表示図である。
【図６】本発明の第２実施形態による映像コンテンツデータ再生装置の動作を示すフローチャートである。
【図７】本発明の第２実施形態による映像コンテンツデータ再生装置で生成されたサムネイル画像が表示された状態（ａ）および更新されたサムネイル画像が表示された状態（ｂ）を示す画面表示図である。
【符号の説明】
【００７７】
１…映像コンテンツデータ再生装置
２…リモートコントローラ
３…表示装置
１１…操作信号入力部
１２…映像コンテンツデータ記録部
１３…制御部
１４…映像信号処理部
１５…表示処理部
７１…「ｐｒｅｖ」更新ボタン
７２…「ｎｅｘｔ」更新ボタン
１２１…映像コンテンツデータ
１３１…再生制御部
１３２…位置情報抽出部
１３３…サムネイル画像生成部
１３４…通常再生開始指示部
【図１】
2008312025.tif 000003
【図２】
2008312025.tif 000004
【図３】
2008312025.tif 000005
【図４】
2008312025.tif 000006
【図５】
2008312025.tif 000007
【図６】
2008312025.tif 000008
【図７】
2008312025.tif 000009